(57)【特許請求の範囲】
【請求項１】
水晶マイクロバランス（ＱＣＭ）マスセンサーと水晶マイクロバランス（ＱＣＭ）コントローラを備えたＱＣＭセル本体と、該セル本体の内部に配設され、水晶振動子である水晶板の一面に振動数及び電流測定用電極を形成し、
該水晶振動子の振動数及び電流測定用電極を、振動数計測装置である微小電流計に接続するとともに、
上記電流測定用電極に対面する対向電極を配置し、
荷電粒子を分散させた液体の測定サンプルを前記セルに導入して、前記電流測定用電極と対向電極間に満たし、該両電極間に電場を形成することで、液体中の荷電粒子により運ばれた電荷と質量の変化を測定する移動電荷量及び移動度測定用セルにおいて、
セル内の荷電粒子が電極に流れ込む電流値と、電極表面上の振動変化による質量変化の時間依存性とを、同時に測定し、
電圧印加時の充電電荷量を除去するために、上記同時に測定している質量変化の測定結果を用いて、上記液体中の荷電粒子により運ばれた電荷量を補正することを特徴とする移動電荷量及び移動度測定用セル。
【請求項２】
上記荷電粒子に着色剤を含有した非透過性液体を測定することが可能なことを特徴とする請求項１に記載の荷電粒子の移動電荷量及び移動度測定用セル。
【発明の詳細な説明】
【０００１】
【発明の属する技術分野】
本発明は、液体中の荷電粒子の電気特性を測定可能なセルとその装置による評価対象とする現像剤に関する。
【０００２】
【従来の技術及び発明が解決しようとする課題】
泳動電着電流の測定においては、本願発明者の知るところでは、簡便に荷電粒子の重量あたりの電荷量Ｑ／ｍを同時計測できる測定装置は存在しない。マルバーン社、ゼータサイザー等の光学系システム構成のドップラー効果を利用した移動度の測定（移動度より電荷量を計算が可能）では、着色剤からなる荷電粒子の測定を行うことは、測定系のＳ／Ｎの低下を招き測定は原理的に困難であった。
【０００３】
そこで本発明は、高濃度な着色剤からなる荷電粒子の電荷量及び移動度の測定を可能にした移動電荷量及び移動度測定用セルを提供することを目的とする。
【０００４】
【課題を解決するための手段】
本発明の請求項１に係る液体中の荷電粒子の移動電荷量及び移動度測定用セルは、上記目的を達成するために、水晶マイクロバランス（ＱＣＭ）マスセンサーと水晶マイクロバランス（ＱＣＭ）コントローラを備えたＱＣＭセル本体と、該セル本体の内部に配設され、水晶振動子である水晶板の一面に振動数及び電流測定用電極を形成し、
該水晶振動子の振動数及び電流測定用電極を、振動数計測装置である微小電流計に接続するとともに、
上記電流測定用電極に対面する対向電極を配置し、
荷電粒子を分散させた液体の測定サンプルを前記セルに導入して、前記電流測定用電極と対向電極間に満たし、該両電極間に電場を形成することで、液体中の荷電粒子により運ばれた電荷と質量の変化を測定する移動電荷量及び移動度測定用セルにおいて、
セル内の荷電粒子が電極に流れ込む電流値と、電極表面上の振動変化による質量変化の時間依存性とを、同時に測定し、
電圧印加時の充電電荷量を除去するために、上記同時に測定している質量変化の測定結果を用いて、上記液体中の荷電粒子により運ばれた電荷量を補正することを特徴とする。
【０００５】
同請求項２に係るものは、上記目的を達成するために、請求項１に記載の荷電粒子の移動電荷量及び移動度測定用セルにおいて、上記荷電粒子に着色剤を含有した非透過性液体を測定することが可能なことを特徴とする。
【０００８】
【発明の実施の形態及び実施例】
以下本発明の実施の形態及び実施例を図面を参照して説明する。
図１は本発明に係る移動電荷量及び移動度測定用セルの一実施形態を示す断面図で、図中１はＱＣＭマスセンサー（波線部分）、２はＱＣＭコントローラ、２ａは発振回路、２ｂは水晶振動子、３は対向電極、４は高圧電源、５は微少電流計、６は電極間距離の調整機構、７は測定サンプル、８は電流測定用電極である。
【０００９】
本実施形態は、ＣＶＤ装置等の蒸着モニターとして用いられている水晶振動子（クリスタル）を応用し、荷電粒子の移動の状態を電流と質量変化により同時計測を可能とするもので、電気化学的水晶振動子としては、北斗電工（株）製のＱＣＭマスセンサー１とＱＣＭコントローラ２を使用し、対向電極３に高圧電源４を接続し、電流測定用電極８に微少電流計５を接続し、電極３、８間に電界を生じさせることができるようにしている。電界の調整は、電極３、８間の距離を調整機構６により調整することによって行う。
【００１０】
そして、荷電粒子を分散させた液体の測定サンプル７をセルに導入して電極３、８間に満たし、電界を印加し、セル内の荷電粒子が電極に流れ込む電流値と電極表面上の振動変化による質量変化の時間依存性を同時に測定する。
【００１１】
そして電圧印加時の充電電荷量を除去するために、同時に測定している質量変化の測定結果を用いて補正する。図２は、上記測定における電流と質量変化の時間依存性を示す図である。まず電圧を印加した時から、電流、振動変化量を測定する。振動変化により生じる質量変化の測定を開始してから最初に起こる変極点の時間をτａ、次に質量変化が飽和した変極点の時間をτｂとして示してある。時間τａは、セル中の荷電粒子が移動して電極８に到達し始めた開始時間であり、時間τｂは、ほとんどの荷電粒子の移動が終了した時間である。そして、これら電極に到達した荷電粒子の移動時間である、時間τａ、τｂ間の電流値を積分し、電荷の移動による電荷量Ｑを算出する。この時、液体のバルク抵抗である時間τｂのときの電流値を定常電流として、上記積分値から差し引く。
【００１２】
これらの処理を行うことにより、充電電荷量、バルク抵抗を流れる電流値と実際の荷電粒子の移動による電流値を区別することが可能になり、精度良い電荷量Ｑの測定ができる。また、光学的測定法と異なり、質量変化による移動計測を利用しているので、着色剤を含有した液体中の荷電粒子の移動質量の計測もできる。
【００１３】
さらに高粘性現像剤の場合、対向電極３の電極面に塗布後、セル内を荷電粒子に分散させている液体を静かに充填した後、上記と同等の測定をすることにより、質量変化の変極点が顕著に現れるようになる。これは、荷電粒子がセルに一様分布した状態より、対向電極３近傍に分布し、分布幅が狭くなるためである。測定上の精度が上がるので、この方法が好ましい。
【００１４】
【実施例１】
上記測定機を用い、下記の条件で測定を行った。
測定サンプル：高絶縁性液体中に分散した着色剤含有樹脂
電極間距離：１ｍｍ
印加電圧：８ｋＶ
ここでは、シリコーンオイル０．１Ｓｔ中に高電荷量の高分子処理カーボンブラックを樹脂に分散させ、固形分の重量パーセント１０ｗｔ％程度のサンプルを用いた。測定の結果は、図２に示す典型な波形と同等のものとなり、電荷量Ｑは電流値より算出し、電極に到達した荷電粒子の質量ｍからＱ／ｍを計算すると、１０ｕＣ／ｇ程度の値となった。
【００１５】
【実施例２】
上記の測定装置を用いて着色剤からなる荷電粒子を液体に分散させた液体現像剤を測定して電荷量はＱ／ｍを算出した。上記の方法により、帯電制御剤などで修飾し、質量あたりの電荷量Ｑ／ｍの異なる液体現像剤を作成した。ここでの作成条件は、シリコーンオイル０．１Ｓｔ中に、着色剤を含む固形分の重量パーセントは２０ｗｔ％とした。Ｑ／ｍの測定条件は以下に示す通りである。
測定サンプル：高絶縁性液体中に分散した着色剤含有樹脂
電極間距離：１ｍｍ
印加電圧：８ｋＶ
【００１６】
電子写真プロセスを用いた画像形成装置により画像特性を比較した結果を下記の表１に示す。
【表１】
0004072806.tif 000002
この結果から、Ｑ／ｍが１０ｕＣ／ｇ以上の現像剤において画像濃度が高く、地肌汚れが小さいことが確認できた。
【００１７】
また上記高粘性現像剤ａ-４の電界依存性の測定結果を図３に示す。図から明らかなように、ある電界においてＱ／ｍが急峻に変化し閾値を有する現像剤であった。この特性を持った現像剤は、ある電界を超えないと移動しない現像剤であり、最適な電界を設定すると２値的な振る舞いをするため安定な現像を実施することが可能である。
【００１８】
すなわち、上述の測定機により、電流測定用電極８に流れ込む電流とこの電極に到着した荷電粒子の質量変化から、電界による荷電粒子の移動の様子を電荷量と移動度の観点から簡便に測定することが可能となる。また、測定原理に光学系を使用していないことから、着色剤を含有した荷電粒子の測定も可能である。さらに上記の測定機を用い、絶縁性液体中に着色剤を含む荷電粒子であるトナーが高濃度に分散された１００ｍＰａ・ｓ以上の高粘度液体現像剤の測定を実施し、画像特性と重量あたりの電荷量Ｑ／ｍの関係を見出すことにより良好な画像特性を得られるようになる。
【００１９】
なお以上に示した実施形態及びいくつかの実施例は、本発明を具体的に説明するためのものであるが、本発明はこれら実施例に限定されるものではない。
【００２０】
【発明の効果】
請求項１に係る移動電荷量及び移動度測定用セルは、以上説明してきたようなものなので、簡便に電荷量と荷電粒子の移動量を同時に測定することが可能になるという効果がある。
【００２１】
請求項２に係る移動電荷量及び移動度測定用セルは、以上説明してきたようなものなので、光学式では測定が困難な荷電粒子の移動が質量変化により測定することが可能になるという効果がある。
【００２２】
請求項３に係る液体現像剤は、以上説明してきたようなものなので、画像特性に良好なＱ／ｍの値が得られるという効果がある。
【００２３】
請求項４に係る液体現像剤は、以上説明してきたようなものなので、最適な現像電界を設定でき、地肌汚れのない画像特性を実現することが可能になるという効果がある。
【図面の簡単な説明】
【図１】本発明に係る移動電荷量及び移動度測定用セルの一実施形態を示す断面図である。
【図２】図１の装置による測定における電流（Ａ）と質量変化（Ｂ）の時間依存性を示す図である。
【図３】図１の装置による高粘性現像剤の電界依存性の測定結果を示す図である。
【符号の説明】
１  ＱＣＭマスセンサー
２  ＱＣＭコントローラ
２ａ  発振回路
２ｂ  水晶振動子
３  対向電極
４  高圧電源
５  微少電流計
６  電極間距離の調整機構
７  測定サンプル
８  電流測定用電極
【図１】
0004072806.tif 000003
【図２】
0004072806.tif 000004
【図３】
0004072806.tif 000005